(57)【特許請求の範囲】
【請求項１】
遊技盤と、該遊技盤に装着されたセンターケースとを備えた遊技機において、
前記遊技盤には、センターケースを装着するためのケース装着開口部を開設し、
前記センターケースは、遊技盤の表面側に配置される装飾枠体と、遊技盤の裏面側に配置されるケース基部と、を備え、
前記装飾枠体は、通電して作動する電気部品と、該電気部品に接続される電気配線と、を備え、該電気配線をケース装着開口部へ挿通し、
前記ケース基部には、配線保持開口に電気配線を挿通して保持する配線保持部を着脱可能とし、配線保持開口をケース装着開口部へ連通するとともに、遊技球が通過不能な大きさに設定し、
前記装飾枠体のうちケース装着開口部に臨ませた部分には、配線保持部を係合可能な保持係合部を備え、該保持係合部に配線保持部を係合した状態で装飾枠体を遊技盤へ装着可能としたことを特徴とする遊技機。
【発明の詳細な説明】
【技術分野】
【０００１】
本発明は、遊技盤と、該遊技盤に装着されたセンターケースとを備えたパチンコ遊技機等の遊技機に関する。
【背景技術】
【０００２】
従来の遊技機、例えば、パチンコ遊技機においては、各種制御装置、電源装置、装飾ランプ等の各種電気部品を備え、これらの構成要素の間を電気配線で電気的に接続している。また、パチンコ遊技機の各部に配線保持部を設けて電気配線を束ねて保持できるように構成されている（例えば、特許文献１および特許文献２参照）。
【特許文献１】特開平３−０４１９８６号公報
【特許文献２】特開平６−０３１０３０号公報
【発明の開示】
【発明が解決しようとする課題】
【０００３】
ところで、遊技盤にセンターケースを装着したパチンコ遊技機においては、センターケースを装飾枠体とケース基部とで構成し、装飾枠体を遊技盤の表面側に配置し、ケース基部を遊技盤の裏面側に配置したものが存在する。また、装飾枠体には装飾ランプを内蔵し、装飾ランプに接続される電気配線を遊技盤の裏面側へ通して制御装置等へ接続する。
【０００４】
そして、遊技盤のうち電気配線を通す箇所には、配線保持部を設けて電気配線を束ねられるように構成することが望ましい。また、遊技盤に比較的広い開口部を開設して電気配線を通し易いようにすることが望ましい。しかしながら、上記特許文献に記載の配線保持部を単に設けただけでは、装飾枠体の着脱作業時に電気配線の挿脱を行い難くなり、作業の効率を損ねる虞がある。また、遊技中に遊技球が遊技盤の表面側から電気配線を通す開口部を抜けて、遊技盤の裏面側へ流入する虞があり、遊技盤の裏面側に配置される制御基板等の構成部品に遊技球が衝突して損傷し兼ねない。
【０００５】
そこで、本発明は、上記の事情に鑑みてなされたものであり、その目的は、電気配線の挿脱を行い易くなり、装飾枠体の着脱作業の効率を向上することができ、また、遊技球が電気配線を挿通する開口部を通って遊技盤の表面側から裏面側へ流入することを阻止することができる遊技機を提供しようとするものである。
【課題を解決するための手段】
【０００６】
本発明は、上記目的を達成するために提案されたものであり、請求項１に記載のものは、遊技盤と、該遊技盤に装着されたセンターケースとを備えた遊技機において、
前記遊技盤には、センターケースを装着するためのケース装着開口部を開設し、
前記センターケースは、遊技盤の表面側に配置される装飾枠体と、遊技盤の裏面側に配置されるケース基部と、を備え、
前記装飾枠体は、通電して作動する電気部品と、該電気部品に接続される電気配線と、を備え、該電気配線をケース装着開口部へ挿通し、
前記ケース基部には、配線保持開口に電気配線を挿通して保持する配線保持部を着脱可能とし、配線保持開口をケース装着開口部へ連通するとともに、遊技球が通過不能な大きさに設定し、
前記装飾枠体のうちケース装着開口部に臨ませた部分には、配線保持部を係合可能な保持係合部を備え、該保持係合部に配線保持部を係合した状態で装飾枠体を遊技盤へ装着可能としたことを特徴とする遊技機である。
【発明の効果】
【０００８】
本発明によれば、以下のような優れた効果を奏する。
請求項１に記載の発明によれば、遊技盤には、センターケースを装着するためのケース装着開口部を開設し、センターケースは、遊技盤の表面側に配置される装飾枠体と、遊技盤の裏面側に配置されるケース基部とを備え、装飾枠体は、通電して作動する電気部品と、該電気部品に接続される電気配線とを備え、該電気配線をケース装着開口部へ挿通し、ケース基部には、配線保持開口に電気配線を挿通して保持する配線保持部を着脱可能とし、配線保持開口をケース装着開口部へ連通するとともに、遊技球が通過不能な大きさに設定したので、装飾枠体の着脱作業において、配線保持部をケース基部から取り外した状態で電気配線を配線保持開口へ挿脱することができる。これにより、遊技盤から電気配線を挿脱する作業を行い易くなり、装飾枠体の着脱作業を効率よく行うことができる。また、遊技球が配線保持開口を通って遊技盤の表面側から裏面側へ流入することを阻止することができる。したがって、遊技盤の裏面側に配置される制御装置等の構成部品に遊技球が衝突して損傷する虞がない。
【０００９】
また、装飾枠体のうちケース装着開口部に臨ませた部分には、配線保持部を係合可能な保持係合部を備え、該保持係合部に配線保持部を係合した状態で装飾枠体を遊技盤へ装着可能としたので、装飾枠体の遊技盤への装着作業において、電気配線が垂れ下がって装飾枠体とケース装着開口部の開口縁との間に挟まってしまう不都合、ひいては電気配線を切断してしまう不都合を阻止することができる。
【発明を実施するための最良の形態】
【００１０】
以下、代表的な遊技機であるパチンコ遊技機を例に挙げて本発明の実施の最良の形態を図面に基づき説明する。図１はパチンコ遊技機の遊技盤の正面図、図２は背面図である。
パチンコ遊技機の遊技盤１は、図１および図２に示すように、合板やプラスチックなどで形成された矩形状の遊技盤本体２を備え、該遊技盤本体２の表面にガイドレールやサイドケース等の区画部材３を止着して遊技領域４を区画形成し、該遊技領域４内の略中央にセンターケース５を備え、該センターケース５の前側部分を遊技盤本体２の表側に突出した状態で配置するとともに、後側部分を遊技盤本体２の裏側に突出した状態で配置している。さらに、センターケース５の後方には、表示部７ａに複数の識別情報を変動表示して変動表示ゲームを行う変動表示装置７を備えている。また、遊技領域４のうちセンターケース５の下方には、変動表示ゲーム始動用の始動入賞口８を配置し、センターケース５の側方（右側方）には普図始動ゲート９と、開閉部材１０ａを備えた入賞具１０とを配置し、センターケース５の左下方および右下方には、発光により各種の装飾表示を行うサイドランプ１２を配置し、該サイドランプ１２に一般入賞口１３を備えている。また、始動入賞口８の下方には大入賞口１４を配置し、該大入賞口１４の下方であって遊技領域４の下縁部には、入賞せずに流下した遊技球を回収するアウト口１６を開設している。さらに、始動入賞口８、普図始動ゲート９、大入賞口１４やセンターケース５等の取付部分を除いた遊技領域４内に障害釘（図示せず）を植設してある。そして、遊技盤１（遊技盤本体２）の裏面側には球排出路１８を備え、該球排出路１８を始動入賞口８、入賞具１０、一般入賞口１３、大入賞口１４、アウト口１６の出口に連通し、遊技領域４を流下して入賞した遊技球、および入賞せずに回収された遊技球を球排出路１８へ通して遊技領域４の外方、詳しくは遊技盤１の裏面側へ排出できるように構成されている。さらに、球排出路１８の後方には、図２に示すように、遊技進行を統括的に制御する遊技制御装置（メイン制御装置）１９を備え、該遊技制御装置１９の上方であって変動表示装置７の後方には、遊技進行に伴って行われる演出動作を制御する演出制御装置２０を備えている。
【００１１】
次に、センターケース５について説明する。
センターケース５は、図３および図４に示すように、遊技盤本体２の表面側に配置される前側部としての装飾枠体２１と、遊技盤本体２の裏面側に配置される後側部としてのケース基部２２とを備えて構成されており、遊技盤本体２の中央部に開設された大きなケース装着開口部２ａ（図３参照）に、装飾枠体２１とケース基部２２とで遊技盤本体２を前後から挟む状態で装着されている。
【００１２】
装飾枠体２１は、図４（ａ）に示すように、遊技盤本体２の表面に止着される環状の枠体基部２３を備え、該枠体基部２３の後部には、ケース装着開口部２ａへ嵌合する嵌合凸部２３ａを後方へ向けて突設している。また、枠体基部２３の上部の一側（図４（ａ）中、右側）には、庇状の鎧部２４を一側方（右側方）へ向けて下り傾斜した状態で備え、上部の他側（図４（ａ）中、左側）うち鎧部２４よりも低い位置には装飾ランプ２５（本発明における電気部品に相当）を上面が他側方（左側方）へ向けて下り傾斜した状態で備え、鎧部２４および装飾ランプ２５を枠体基部２３よりも前方へ突出した状態に設定している。さらに、鎧部２４の傾斜下端および装飾ランプ２５の傾斜下端から縦長の側辺部２６を枠体基部２３よりも前方へ突出した状態で備え、枠体基部２３の下部の後側には、遊技球を横方向（前後方向および左右方向）へ転動可能なステージ部２７を配置して、該ステージ部２７が左右の側辺部２６の下端の間に位置するように設定している。そして、装飾ランプ２５側（左側）の側辺部２６には、遊技球が流下可能な球導入路（ワープ流路）２８を設け、球導入路２８の入口２８ａを装飾ランプ２５側の側辺部２６に外方へ開放した状態で開設し、球導入路２８の出口２８ｂをステージ部２７の側方（図４（ａ）中、ステージ部２７の左側方）に開設している。したがって、ステージ部２７および球導入路２８は、遊技中に遊技球が進入可能な球進入可能領域として機能し、遊技領域４を流下する遊技球が球導入路２８へ流入すると、球導入路２８がこの遊技球をステージ部２７上へ導入できるように構成されている。さらに、鎧部２４の傾斜下端側に位置する側辺部２６の上下方向の中央部分からは、一端が装飾ランプ２５へ接続された複数本の電気配線２９を引き出してケース装着開口部２ａへ挿通し、該電気配線２９の他端には、演出制御装置２０へ接続するための配線コネクタ２９ａを備え、装飾ランプ２５と演出制御装置２０とを電気配線２９で電気的に接続可能としている。そして、電気配線２９を介して装飾ランプ２５へ通電して、装飾ランプ２５を発光するように構成されている。
【００１３】
ケース基部２２は、装飾枠体２１の後方に配置される部材であり、図４（ｂ）および図５に示すように、前側が開放された起立箱状のベース部３０を備え、該ベース部３０の内部と装飾枠体２１の内部とを前後に連通してセンターケース５の内側に凹室３１（図１参照）を前方へ開放する状態で形成している。また、ベース部３０の前側の外周縁には、遊技盤本体２の裏面に止着されるベースフランジ３２を外方へ延設し、ベース部３０の後部には矩形状の開口窓部３３を開設して凹室３１へ連通し、開口窓部３３の後方に変動表示装置７を配置して表示部７ａを開口窓部３３から前方へ臨ませている。さらに、ベース部３０の内側のうち開口窓部３３の上縁部および左右両縁部には略倒コ字状の装飾ベース３４を備え、該装飾ベース３４の前面には、ケース内装飾具３５や透光性を有する複数のレンズ部材３６を止着している。そして、該装飾ベース３４と開口窓部３３の縁部との間には、ＬＥＤ等の発光体を実装した発光基板３７を複数配置し、発光基板３７をレンズ部材３６の後方に重合する状態に設定するとともに、装飾ベース３４のうち発光基板３７とレンズ部材３６との間に位置する箇所には透光開口３８を開設し、発光基板３７から発生した光を透光開口３８およびレンズ部材３６へ透過して凹室３１内を装飾するように構成されている。さらに、装飾ベース３４の上部の前面には、遊技進行に伴って横長な装飾ブロック４０の端部を上下方向へ回動して演出動作を実行可能な第１演出装置４１を備えている。
【００１４】
そして、ベース部３０のうち開口窓部３３の下縁部の前方の位置には、ステージ部２７の後方に配置される第２演出装置４２を備えている。第２演出装置４２は、図６に示すように、横長な起立平板状のベースプレート４５を備え、該ベースプレート４５の前面側に演出部材４６と、ベルト伝動により演出部材４６をベースプレート４５の長手方向に沿って演出動作させるための演出駆動ユニット４７とを配置し、該演出駆動ユニット４７の前面側を透光性材質（例えば、半透明樹脂）で形成されたユニットカバー４８により被覆し、ユニットカバー４８およびベースプレート４５よりも上方に演出部材４６の一部を突出している。また、該ユニットカバー４８の前面側にステージ部２７を１段下げた状態で重合し（図１参照）、ユニットカバー４８の裏面側には、ＬＥＤ等の発光体を実装した複数の発光基板４９と、該発光基板４９を後方から被覆する基板カバー５０とを止着し、発光基板４９から発生した光をユニットカバー４８へ通してセンターケース５の前方へ向けて透過できるように構成されている。そして、ユニットカバー４８と基板カバー５０との間には縦長な球流下路５２を設け、該球流下路５２の上流部をユニットカバー４８の上方および前方へ向けて開放するとともに、球流下路５２の下流端をステージ部２７の下方に設けられた入賞誘導路５３（図４（ａ）参照）へ連通して、ステージ部２７上を転動する遊技球が球流下路５２および入賞誘導路５３を流下して遊技領域４のうち始動入賞口８の直上に落下できるように構成されている。
【００１５】
さらに、第２演出装置４２の上縁部となるユニットカバー４８の上面をステージ部２７の外方、詳しくは、ステージ部２７よりも上方の位置、且つ開口窓部３３の下縁部と同じ高さの位置に配置し、ユニットカバー４８の上面および開口窓部３３の下縁部上に球進入規制領域５５を設定し、遊技中に遊技球がステージ部２７上から転動してユニットカバー４８上および開口窓部３３の下縁部上に移動すること、言い換えると球進入規制領域５５に進入（侵入）することを規制している。また、球進入規制領域５５内、具体的には、ユニットカバー４８と開口窓部３３の下縁部との間には、演出部材４６の演出動作方向（左右方向）に沿って横長な移動規制溝５６を遊技球の直径よりも狭い溝幅（前後幅）で形成し、該移動規制溝５６に演出部材４６を遊嵌して演出部材４６が演出動作方向とは異なる方向（前後方向）へ移動することを規制している。
【００１６】
次に、演出部材４６および演出駆動ユニット４７について説明する。
演出部材４６は、遊技において演出動作を実行する部材であり、図７（ａ）および（ｂ）に示すように、ユニットカバー４８の後方に位置し、演出駆動ユニット４７の一部に係合するブロック状の演出基部６０と、該演出基部６０の上部に側方（図７（ａ）中、右側方）へずれた状態で配置され、照準器の形状を模して形成された起立円板状の装飾具６１とを備えている。また、演出基部６０の上下方向の中央部には上側ガイド受部６２をベースプレート４５の長手方向（第２演出装置４２の左右方向）に沿って貫通し、演出基部６０の下端には切欠状の下側ガイド受部６３を下方へ開放した状態で形成している。さらに、上側ガイド受部６２と下側ガイド受部６３との間には、横長なスリット状のベルト係止溝６４を後方および左右両側方へ開放した状態で形成し、演出基部６０の前面側には横長な平板状の位置検出片６５を前方へ突出し、演出基部６０の側部（図７（ａ）中、右側部）の上側には、装飾具６１を支持する支持部６６を外方へ突設している。そして、装飾具６１の中央部分を透光性材質（例えば、透明樹脂）で形成し、遊技盤１の前方から装飾具６１の中央部分を通して変動表示装置７の一部を視認可能としている。また、装飾具６１の下側の側部を球押圧部６７とし、移動規制溝５６に演出部材４６を遊嵌すると、装飾具６１をユニットカバー４８よりも上方へ突出して遊技盤１の前方から視認可能とし、球押圧部６７の下方（具体的には、球押圧部６７の直下）に移動規制溝５６が位置するように設定している。なお、球押圧部６７の作用については、後で詳細に説明する。
【００１７】
演出駆動ユニット４７は、演出部材４６をベースプレート４５および変動表示装置７の表示画面に沿って横方向へ移動するためのユニットである。また、図６に示すように、演出部材４６を係合して演出動作方向へガイドする２本のガイドシャフト７０（上側シャフト７０ａ、下側シャフト７０ｂ）と、ガイドシャフト７０の一端寄りに配置された駆動機構７１と、ガイドシャフト７０の他端寄りに配置された掛合機構７２と、演出部材４６に係止され、駆動機構７１と掛合機構７２との間に掛け渡された無端ベルト（タイミングベルト）７３とを備えて構成されている。そして、上側シャフト７０ａと下側シャフト７０ｂとを上下に離間した状態でベースプレート４５の長手方向に沿って横向きに延在し、上側シャフト７０ａを演出基部６０の上側ガイド受部６２へ摺動可能な状態で挿通するとともに、下側シャフト７０ｂを演出基部６０の下側ガイド受部６３へ摺動可能な状態で係合して、演出部材４６をガイドシャフト７０の軸方向に沿って移動可能としている。さらに、駆動機構７１に駆動側検出センサ８０を設けるとともに、掛合機構７２に掛合側検出センサ１０１を設け、駆動側検出センサ８０により位置検出片６５を検出して演出部材４６が当該演出部材４６の移動範囲の一端に到達したことを検知可能とし、掛合側検出センサ１０１により位置検出片６５を検出して演出部材４６が当該演出部材４６の移動範囲の他端に到達したことを検知可能としている。
【００１８】
このような構成を備えた第２演出装置４２は、無端ベルト７３の上側部分の途中をベルト係止溝６４へ嵌め込んで係止し、この状態で駆動機構７１を駆動して無端ベルト７３を回転して、演出部材４６を左右方向へ移動可能となる。なお、演出部材４６の移動範囲の一端（図４（ｂ）中、左端）、具体的には、駆動側検出センサ８０が位置検出片６５を検出可能となる位置を演出ポジションＤＰとし、演出部材４６の移動範囲の他端（図４（ｂ）中、右端）、具体的には、掛合側検出センサ１０１が位置検出片６５を検出可能となる位置をホームポジションＨＰとし、演出動作を行っていない常態（通常状態）では、演出部材４６がホームポジションＨＰに位置して待機する（図４（ｂ）および図８（ｄ）参照）。このとき、装飾具６１は、第２演出装置４２よりも掛合機構７２側の側方に突出した状態に設定され、遊技領域４の後方に隠れる（図１参照）。
【００１９】
さらに、センターケース５は、ケース基部２２のうち第２演出装置４２の掛合機構７２側の側方（図４（ｂ）中、右側方）に収納空間部８４を区画形成し、該収納空間部８４内には、遊技盤１の一部を構成する遊技盤構成要素、例えば、入賞具１０の開閉部材１０ａを駆動するための開閉駆動ソレノイド８５を収納している。また、収納空間部８４の上方および側方には、球進入規制領域５５と球排出路１８とを連通する球誘導路８７を備えている。具体的に説明すると、球誘導路８７は、図８および図９に示すように、収納空間部８４の上方に位置する横向きの上流側誘導路８７ａと、収納空間部８４の側方、詳しくは開閉駆動ソレノイド８５および入賞具１０への入賞を検出する入賞検出センサ８８を挟んで第２演出装置４２とは反対側に位置する縦向きの下流側誘導路８７ｂとを連通して構成されている。
【００２０】
そして、上流側誘導路８７ａの上流端を球進入規制領域５５のうち掛合機構７２側の端部のホームポジションＨＰに臨ませ、上流側誘導路８７ａの底部には、遊技球が転動可能な球転動棚９０を球進入規制領域５５側から球誘導路８７の下流側（言い換えると球排出路１８側）へ向けて僅かに下り傾斜した状態で延在している。また、球転動棚９０の前縁部、言い換えると球転動棚９０の延在方向の側縁には落下阻止突起９１を球転動棚９０の上方へ向けて突設して、遊技球が球転動棚９０から落下することを阻止している。さらに、球転動棚９０の後部と、ベース部３０のうち球転動棚９０の後方且つ開口窓部３３の下縁部の延長線上に位置するベース側棚部９４とを前後に離間して誘導溝９５を形成し、該誘導溝９５を移動規制溝５６と同じ溝幅、すなわち遊技球の直径よりも狭い溝幅に設定している。また、誘導溝９５と移動規制溝５６とを中心軸が同一直線上に位置する状態で連通し、演出部材４６がホームポジションＨＰに位置すると、支持部６６が誘導溝９５内に進入して、装飾具６１および球押圧部６７を誘導溝９５の上方へ配置するように構成されている（図８（ｄ）参照）。そして、ベース部３０の下部のうち下流側誘導路８７ｂの直下に位置する部分を開放し、この開放部を介して下流側誘導路８７ｂの下端（下流端）と球排出路１８とを入賞検出センサ８９から外れた位置で連通し、球誘導路８７を流下する遊技球が開閉駆動ソレノイド８５および入賞検出センサ８９の側方を通って遊技盤１の裏側へ排出できるように構成されている（図９参照）。
【００２１】
また、センターケース５は、ケース基部２２の一側に電気配線２９を保持する構成を備えている。詳しくは、図１０に示すように、ベース部３０（ケース基部２２）のベースフランジ３２のうち電気配線２９の後方に位置する部分を切り欠くとともに、この切欠部の後方に位置するケース基部２２の側部を開口窓部３３側（ケース基部２２の中央側）へ凹ませ、切欠部と凹み部とを連通して配線通過部１００をケース基部２２の前後方向へ貫通する状態で形成し、該配線通過部１００には配線保持部１０２を着脱可能な状態で備えている。さらに、配線通過部１００の上下両縁部には、配線保持部１０２を位置決めするための位置決め孔１０３と、配線保持部１０２を止着するための止着ボス１０４とをそれぞれ備えている（図１１（ｂ），（ｃ）参照）。なお、配線通過部１００は、電気配線２９および配線コネクタ２９ａが通過可能な広さに設定されている。
【００２２】
配線保持部１０２は、縦長な箱状の保持部本体１０７を備え、該保持部本体１０７には配線保持開口１０８をケース基部２２の前後方向に沿って貫通して配線通過部１００およびケース装着開口部２ａへ連通可能とし、配線保持開口１０８の大きさを遊技球および配線コネクタ２９ａが通過不能な大きさに設定している。さらに、配線保持開口１０８の前側開口縁の外側（配線保持開口１０８を挟んでベース部３０とは反対側）には、舌片状の配線カバー１０９をベースフランジ３２側へ向けて前方へ延設し、配線カバー１０９の延設端（前端）をベースフランジ３２の前面と略同じ前後方向の位置に設定している。そして、配線保持部１０２の配線カバー１０９側の側部には、ケース基部２２の前後方向に沿って横長なスリット状の配線導入口１１０を配線カバー１０９および保持部本体１０７の前後幅全体に亘って開設して配線保持開口１０８を側方へ開放し、該配線導入口１１０の上下幅を配線保持開口１０８の上下幅より狭く、且つ電気配線２９の太さよりも広い幅に設定している。また、保持部本体１０７の上下両側には、位置決め孔１０３へ嵌合可能な位置決めピン１１１と、止着ボス１０４に対向可能な止着孔１１２とをそれぞれ設けている（図１１（ｂ），（ｃ）参照）。
【００２３】
このような構成を備えたセンターケース５を遊技盤本体２へ取り付けるには、まず、ケース基部２２の配線通過部１００から配線保持部１０２を取り外しておき、この状態でケース基部２２を遊技盤本体２の裏面側へ装着してケース装着開口部２ａを被覆し、ベースフランジ３２を遊技盤本体２の裏面へ止着する。すると、ケース装着開口部２ａと配線通過部１００とが前後に重なる状態で連通する。また、遊技盤本体２の表面側に装飾枠体２１を近づけ、配線コネクタ２９ａおよび電気配線２９をケース装着開口部２ａおよび配線通過部１００へ遊技盤本体２の表面側から通す。さらに、電気配線２９を遊技盤本体２の後方へ引き出しながら装飾枠体２１を遊技盤本体２へ近づけ、嵌合凸部２３ａをケース装着開口部２ａへ嵌合し、枠体基部２３を遊技盤本体２の表面へ当接して止着する。
【００２４】
枠体基部２３およびケース基部２２を遊技盤本体２へ装着したならば、配線保持部１０２を配線カバー１０９が保持部本体１０７よりも遊技盤本体２側に位置する姿勢、且つ配線カバー１０９が配線保持開口１０８を挟んでベース部３０とは反対側に位置する姿勢に設定し、この状態で電気配線２９を配線保持部１０２の配線導入口１１０から導入して配線保持開口１０８内へ挿通する（図１２（ａ）参照）。さらに、配線保持部１０２を電気配線２９に沿って前方の遊技盤本体２側へ向けて摺動して配線通過部１００内へ配置し、位置決めピン１１１を位置決め孔１０３へ嵌合して配線保持部１０２を位置決めする（図１２（ｂ）参照）。配線保持部１０２を位置決めしたならば、止着孔１１２にビスなどの止着部材１１４を通して止着部材１１４の先端を止着ボス１０４へ係止（螺合）し、配線保持部１０２をベース部３０へ止着する（図１１（ｃ）参照）。そして、ベース部３０の後部に変動表示装置７および演出制御装置２０を止着し、配線コネクタ２９ａを演出制御装置２０に実装されたコネクタ接続部２０ａへ接続する（図２参照）。したがって、センターケース５（装飾枠体２１およびケース基部２２）の遊技盤本体２への装着作業において、配線保持部１０２をケース基部２２から取り外した状態で電気配線２９を配線保持開口１０８へ挿通することができる。これにより、遊技盤１（遊技盤本体２）に電気配線２９を挿通する作業を行い易くなり、装飾枠体２１の装着作業を効率よく行うことができる。また、配線保持開口１０８を遊技球が通過不能な大きさに設定しているので、遊技球が配線保持開口１０８を通って遊技盤１の表面側から裏面側へ流入することを阻止することができる。したがって、遊技盤１の裏面側に配置される遊技制御装置１９等の遊技盤構成要素に遊技球が衝突して損傷する虞がない。
【００２５】
なお、遊技盤本体２から装飾枠体２１を取り外すには、配線コネクタ２９ａをコネクタ接続部２０ａから外し、止着部材１１４を外して配線保持部１０２を配線通過部１００（ケース基部２２）から電気配線２９に沿って遊技盤本体２の後方へ引き出す。さらに、電気配線２９を配線保持開口１０８から配線導入口１１０へ通して配線保持部１０２と電気配線２９との係合を解除する。そして、枠体基部２３の止着状態を解除して装飾枠体２１を遊技盤本体２から離し、電気配線２９および配線コネクタ２９ａを配線通過部１００およびケース装着開口部２ａから引き抜く。したがって、装飾枠体２１の脱離作業においても、配線保持部１０２をケース基部２２から取り外した状態で電気配線２９を配線保持開口１０８から外すことができる。これにより、遊技盤１から電気配線２９を外す作業を行い易くなり、装飾枠体２１の脱離作業を効率よく行うことができる。
【００２６】
次に、第２演出装置４２の作用、特に、球進入規制領域５５内に遊技球が侵入した場合における第２演出装置４２の作用について説明する。なお、パチンコ遊技機の前面に設けられた透明部材保持枠（図示せず）を開いて遊技盤１の前方を開放している状態においては、第２演出装置４２の駆動機構７１を駆動して演出部材４６を一時的にホームポジションＨＰから移動して演出ポジションＤＰに待機させるものとする。
【００２７】
遊技領域４を流下する遊技球が始動入賞口８に入賞すると、変動表示装置７の表示部７ａにおいて変動表示ゲームが行われる。この変動表示ゲームの最中に、表示部７ａにおける表示内容が予め定められた状態、例えば、大当たり状態が決定する前に表示されるリーチ状態が段階的に変化すると、第２演出装置４２は、演出部材４６をホームポジションＨＰと演出ポジションＤＰとの間を往復移動する。詳しくは、駆動機構７１を駆動して無端ベルト７３を回転し、演出部材４６をホームポジションＨＰから演出ポジションＤＰへ移動する。さらに、演出部材４６が演出ポジションＤＰに到達して駆動側検出センサ８０が位置検出片６５を検出すると、駆動機構７１が無端ベルト７３を逆回転させる。すると、演出部材４６が演出ポジションＤＰからホームポジションＨＰ側、言い換えると球誘導路８７の上流端へ向けて移動する。また、演出部材４６がホームポジションＨＰに到達して掛合側検出センサ１０１が位置検出片６５を検出すると、駆動機構７１が無端ベルト７３の回転を停止する。
【００２８】
そして、遊技進行に伴って演出部材４６が演出動作を実行している最中に、遊技領域４を流下する遊技球同士が衝突して弾かれて遊技球が球進入規制領域５５内へ侵入したり、あるいは、メンテナンス作業など遊技盤１の前方を開放した際にセンターケース５の前面側が開放されている最中に、この開放箇所から遊技球が球進入規制領域５５内へ侵入したりした場合には、センターケース５は、この侵入した遊技球を演出部材４６の動作により球進入規制領域５５から排除することができる。具体的に説明すると、球進入規制領域５５内へ侵入した遊技球がユニットカバー４８の上面を転動して、移動規制溝５６のうち移動中の演出部材４６とホームポジションＨＰとの間に到達すると、センターケース５は、移動規制溝５６に遊技球の底部を嵌合して、遊技球がユニットカバー４８上に戻ったり、開口窓部３３側へ転動したりすることを規制する。この状態で引き続き演出部材４６が演出動作を行って演出ポジションＤＰ側からホームポジションＨＰ側、言い換えると球誘導路８７の上流端へ向けて移動すると、図８（ａ）に示すように、演出部材４６が球押圧部６７に遊技球を係合する。この係合状態で演出部材４６が演出動作を続行すると、球押圧部６７が遊技球を球誘導路８７の上流端へ向けて押圧する。すると、遊技球は、移動規制溝５６に底部を嵌合した状態で移動規制溝５６に沿ってホームポジションＨＰ側へ転動して、球誘導路８７の上流端へ案内される。したがって、演出部材４６により球進入規制領域５５内の遊技球を球進入規制領域５５の外方へ確実に排出することができる。また、演出部材４６の移動範囲から遊技球を排除することができ、演出部材４６の演出動作が遊技球により邪魔される不都合を阻止することができる。また、遊技球が移動規制溝５６に底部を嵌合した状態で転動するので、遊技球を円滑に球進入規制領域５５から排出することができる。
【００２９】
そして、球誘導路８７の上流端、すなわち上流側誘導路８７ａへ流入した遊技球は、図８（ａ）および（ｃ）に示すように、移動規制溝５６から誘導溝９５へ当該遊技球の底部を嵌合した状態で流入したり、あるいは、球転動棚９０上に移って転動したりして下流側誘導路８７ｂへ向けて移動する。このとき、球転動棚９０に落下阻止突起９１を設けているので、遊技球が球転動棚９０の下方に配置された遊技盤構成要素、具体的には開閉駆動ソレノイド８５へ落下する不都合、ひいては開閉駆動ソレノイド８５が損傷する不都合を防ぐことができる。また、誘導溝９５上に遊技球が停留したとしても、演出部材４６がホームポジションＨＰに戻れば、図８（ｂ）および（ｄ）に示すように、球押圧部６７が誘導溝９５のうち上流側誘導路８７ａと下流側誘導路８７ｂとの連通部分の近傍まで移動するので、球押圧部６７により遊技球を誘導溝９５から下流側誘導路８７ｂへ押し出すことができる。したがって、遊技球が上流側誘導路８７ａ内に停留する虞がない。
【００３０】
さらに、遊技球が上流側誘導路８７ａを流下して下流側誘導路８７ｂへ流入すると、図９に示すように、この遊技球は、開閉駆動ソレノイド８５（収納空間部８４）および入賞検出センサ８９の側方を通って球排出路１８へ流下して、遊技盤１の裏面側へ排出される。このようにして、球進入規制領域５５に侵入した遊技球を球誘導路８７へ通して球排出路１８へ誘導するので、遊技球が球進入規制領域５５内に侵入しとしても、遊技球を球進入規制領域５５から外方へ排出することができ、遊技球が球進入規制領域５５内に停留する不都合を解消することができる。
【００３１】
ところで、上記実施形態では、配線保持部１０２をケース基部２２にのみ装着可能としたが、本発明はこれに限定されない。例えば、図１３〜１６に示す第２実施形態においては、遊技盤本体２に装飾枠体２１を取り付ける前に、配線保持部１１６を電気配線２９が保持された状態で装飾枠体２１へ一時的に装着（係合）できるように構成されている。具体的に説明すると、第２実施形態における装飾枠体２１は、図１３に示すように、当該装飾枠体２１の裏面側のうちケース装着開口部２ａに臨ませた部分、且つ遊技盤本体２に装着された状態で配線通過部１００の前方に位置し得る部分に、縦長な係合空間部１１８ａが内部に形成された保持係合部１１８を備え、係合空間部１１８ａをケース基部２２側（後側）へ向けて開放し、係合空間部１１８ａ内から電気配線２９を装飾枠体２１の後方へ引き出している。また、係合空間部１１８ａを配線保持部１１６が嵌合可能な広さに設定するとともに、係合空間部１１８ａの開放側縁部を配線コネクタ２９ａが嵌合可能な広さに設定している。なお、電気配線２９のうち配線保持部１１６に保持される部分には、テープを巻いたり、あるいは塗装したりする等して保持位置表示部１１９を設けている（図１４参照）。
【００３２】
さらに、第２実施形態の配線保持部１１６は、図１５に示すように、配線保持開口１２０の一部となる凹部１２１ａ，１２２ａが形成された第１保持部材１２１および第２保持部材１２２を備え、ヒンジ部１２４を介して第１保持部材１２１と第２保持部材１２２とを一連に連結した状態で成形されている。また、第２保持部材１２２のうち配線保持開口１２０を挟んでヒンジ部１２４とは反対側には爪状の係止部１２５を突設し、第１保持部材１２１のうち配線開口部を挟んでヒンジ部１２４とは反対側には係止部１２５が係止可能な係止受部１２６を設けている。そして、ヒンジ部１２４と第１保持部材１２１との接続部分、およびヒンジ部１２４と第２保持部材１２２との接続部分を屈曲しながら第１保持部材１２１と第２保持部材１２２とを重合して閉じると、第１保持部材１２１の凹部１２１ａと第２保持部材１２２の凹部１２２ａとが対向して配線保持開口１２０を形成し、この状態で係止部１２５を係止受部１２６へ係止すると、第１保持部材１２１と第２保持部材１２２との重合状態を維持可能となる（図１５（ａ）〜（ｃ）参照）。
【００３３】
このような構成の装飾枠体２１および配線保持部１１６を備えて、予めケース基部２２が装着された遊技盤本体２に装飾枠体２１を取り付けるには、まず、係止部１２５と係止受部１２６との係合を解除して配線保持部１１６を展開し（図１５（ｄ）参照）、第１保持部材１２１の凹部１２１ａあるいは第２保持部材１２２の凹部１２２ａに電気配線２９のうち保持位置表示部１１９が設けられた箇所を載置する。そして、配線保持部１１６を閉じ、係止部１２５を係止受部１２６へ係止する。すると、配線保持部１１６は、電気配線２９を配線保持開口１２０へ挿通した状態で保持する。配線保持部１１６に電気配線２９を保持したならば、装飾枠体２１と配線保持部１１６との間の電気配線２９を係合空間部１１８ａ内へ収納し、この収納された電気配線２９へ後方から重合する状態で配線保持部１１６を係合空間部１１８ａ内へ嵌合して保持係合部１１８へ係合する。さらに、配線保持部１１６と配線コネクタ２９ａとの間の電気配線２９を配線保持部１１６へ後方から重合する状態で係合空間部１１８ａ内へ収納し、配線コネクタ２９ａを係合空間部１１８ａの開放側縁部へ嵌合して、電気配線２９および配線保持部１１６が係合空間部１１８ａ（保持係合部１１８）からはみ出すことを阻止する。
【００３４】
電気配線２９および配線保持部１１６を保持係合部１１８内へ収納したならば、この状態で装飾枠体２１を遊技盤本体２の表面側へ近づけ、嵌合凸部２３ａをケース装着開口部２ａへ嵌合し、枠体基部２３を遊技盤本体２の表面へ当接して止着する。そして、配線コネクタ２９ａを保持係合部１１８から外して保持係合部１１８の後方に位置する配線通過部１００へ通し、また、配線保持部１１６を保持係合部１１８から引き出して配線通過部１００へ嵌合する（図１６参照）。さらに、ケース基部２２の後部に変動表示装置７および演出制御装置２０を止着し、配線コネクタ２９ａを演出制御装置２０のコネクタ接続部２０ａへ接続する。このように、保持係合部１１８に配線保持部１１６を係合した状態で装飾枠体２１を遊技盤１へ装着可能とし、装飾枠体２１を遊技盤１へ装着した後で電気配線２９をケース基部２２側へ引き出せるようにしたので、装飾枠体２１の遊技盤１への装着作業において、電気配線２９が垂れ下がって装飾枠体２１とケース装着開口部２ａの開口縁との間に挟まってしまう不都合、ひいては誤って電気配線２９を切断してしまう不都合を阻止することができる。
【００３５】
また、電気配線２９に保持位置表示部１１９を設けたので、配線保持部１１６と配線コネクタ２９ａとの間に位置する電気配線２９の長さを、予め配線通過部１００とコネクタ接続部２０ａとの間の配線経路の長さに合わせて設定することができる。したがって、配線保持部１１６と配線コネクタ２９ａとの間の電気配線２９が短くなり過ぎて配線コネクタ２９ａがコネクタ接続部２０ａへ届かなくなる不都合や、あるいは長くなり過ぎて作業員が不用意に指を引っ掛けてしまう不都合、ひいては配線コネクタ２９ａがコネクタ接続部２０ａから外れて装飾ランプ２５へ通電できない状態となる不都合をなくすことができる。
【００３６】
なお、本発明における配線保持部は、配線保持開口内に保持する電気配線と密着できるように構成してもよい。例えば、図１７に示すように、配線保持部１２８をスポンジや軟質ゴムなどの弾性体で形成するとともに、配線通過部１００に嵌合可能な程度の大きさ（好ましくは、配線通過部１００よりも僅かに大きいサイズ）に設定し、配線保持部１２８の中央部には配線保持開口１２９を電気配線２９の断面積よりも僅かに狭く設定すれば、配線保持部１２８と電気配線２９との間に隙間を形成し難くなり、遊技球や不正部材が配線保持開口１２９を通って遊技盤１の表面側から裏面側へ流入することを確実に阻止することができる。さらに、配線保持部１２８を潰して弾性変形させて配線通過部１００へ装着したり、配線通過部１００から脱離したりすることができ、配線保持部１２８の配線通過部１００に対する着脱作業が容易になる。また、配線通過部１００の外面から配線保持開口１２９に亘って切り込み１３０を形成し、この切り込み１３０から電気配線２９を通して配線保持開口１２９に挿入するようにすれば、電気配線２９を配線保持開口１２９へ挿入するための通路を常時開放しておく必要がなく、配線保持開口１２９内に異物が侵入し難くなって好適である。
【００３７】
ところで、上記実施形態では、本発明における電気部品としては装飾ランプ２５を例示したが、本発明はこれに限定されない。要は、電気配線を接続し、該電気配線を介して通電して作動する電気製品であれば、どのようなものであってもよい。例えば、通電して演出部材を駆動する演出装置であってもよい。
【００３８】
また、上記実施形態では、代表的な遊技機であるパチンコ遊技機を例にして説明したが、本発明はこれに限らず、遊技盤と、該遊技盤に装着されたセンターケースとを備えた遊技機であればどのような遊技機でもよい。例えば、封入球式パチンコ機、アレンジボール式遊技機、雀球式遊技機等の遊技機であってもよい。
【００３９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４０】
【図１】遊技盤の正面図である。
【図２】遊技盤の背面図である。
【図３】遊技盤の分解斜視図である。
【図４】センターケースの説明図であり、（ａ）は装飾枠体の斜視図、（ｂ）はケース基部の斜視図である。
【図５】ケース基部の分解斜視図である。
【図６】第２演出装置の分解斜視図である。
【図７】演出部材の説明図であり、（ａ）は斜視図、（ｂ）は側面図である。
【図８】演出部材の移動状態を示す説明図であり、（ａ）はホームポジション側へ移動する途中の平面図、（ｂ）はホームポジションへ到達した状態の平面図、（ｃ）はホームポジション側へ移動する途中の斜視図、（ｄ）はホームポジションへ到達した状態の斜視図である。
【図９】下流側誘導路を示す遊技盤の断面図である。
【図１０】配線通過部および配線保持部の斜視図である。
【図１１】配線保持部の説明図であり、（ａ）は背面図、（ｂ）は位置決めピンを示す断面図、（ｃ）は止着孔を示す断面図である。
【図１２】電気配線の保持手順を示す説明図であり、（ａ）はケース基部から取り外した状態の配線保持部に電気配線を保持した状態図、（ｂ）は電気配線を保持した配線保持部を配線通過部へ移動した状態図、（ｃ）はケース基部に配線保持部を止着した状態図である。
【図１３】第２実施形態における装飾枠体の保持係合部の説明図であり、（ａ）は背面図、（ｂ）は側面図である。
【図１４】保持位置表示部を設けた電気配線の説明図である。
【図１５】第２実施形態における配線保持部の説明図であり、（ａ）は正面図、（ｂ）は側面図、（ｃ）は底面図、（ｄ）は展開図である。
【図１６】第２実施形態における配線保持部を配線通過部へ嵌合した状態の説明図である。
【図１７】第３実施形態における配線保持部を配線通過部へ嵌合した状態の説明図である。
【符号の説明】
【００４１】
１  遊技盤
２  遊技盤本体
２ａ  ケース装着開口部
５  センターケース
７  変動表示装置
１０  入賞具
１９  遊技制御装置
２０  演出制御装置
２０ａ  コネクタ接続部
２１  装飾枠体
２２  ケース基部
２３  枠体基部
２５  装飾ランプ
２９  電気配線
２９ａ  配線コネクタ
３０  ベース部
３２  ベースフランジ
３３  開口窓部
４１  第１演出装置
４２  第２演出装置
４６  演出部材
４７  演出駆動ユニット
５５  球進入規制領域
５６  移動規制溝
６０  演出基部
６１  装飾具
６７  球押圧部
７０  ガイドシャフト
７１  駆動機構
７２  掛合機構
７３  無端ベルト
８４  収納空間部
８７  球誘導路
９０  球転動棚
１００  配線通過部
１０２  配線保持部
１０７  保持枠本体
１０８  配線保持開口
１０９  配線カバー
１１０  配線導入口
１１４  止着部材
１１６  配線保持部
１１８  保持係合部
１１８ａ  係合空間部
１２０  配線保持開口
１２１  第１保持部材
１２２  第２保持部材
１２８  配線保持部
１２９  配線保持開口
【図１】
0004791500.tif 000002
【図２】
0004791500.tif 000003
【図３】
0004791500.tif 000004
【図４】
0004791500.tif 000005
【図５】
0004791500.tif 000006
【図６】
0004791500.tif 000007
【図７】
0004791500.tif 000008
【図８】
0004791500.tif 000009
【図９】
0004791500.tif 000010
【図１０】
0004791500.tif 000011
【図１１】
0004791500.tif 000012
【図１２】
0004791500.tif 000013
【図１３】
0004791500.tif 000014
【図１４】
0004791500.tif 000015
【図１５】
0004791500.tif 000016
【図１６】
0004791500.tif 000017
【図１７】
0004791500.tif 000018